(57)【特許請求の範囲】
【請求項１】
フレームＨ鋼に付設されている鋼製型枠をコンクリート構造物に埋設すると共にスタットボルトをコンクリート構造物に埋設し、更に前記コンクリート構造物に埋設されるスタットボルトの各埋設穴にモルタルシールしてなるモルタル注入式の耐震補強工法であって、該補強工法に使用されるフレームＨ鋼と鋼製型枠とを固着する鋼板押え金具において、型枠補強板６が一方の鋼製型枠３に固定される固定側金具Ｗからなり、他方の型枠補強板６ａ、６ｂ、６ｃが他方の鋼製型枠３に上下摺動かつ締着自在となる締着側金具Ｙとから構成されることを特徴とするモルタル注入式鋼製型枠組立耐震補強工法における使用金具。
【発明の詳細な説明】
【０００１】
【発明に属する技術分野】
本発明はモルタル注入用枠を取付ける耐震補強工法に関するが、詳しくはフレームＨ鋼と鋼製型枠とを固着するのに鋼板押え金具を使用してなるモルタル注入式鋼製型枠組立の耐震補強工法とその使用金具に関するものである。
【０００２】
【従来の技術】
従来から一般的に行なわれる型枠工法としては、モルタル充填用の鋼製型枠と木製型枠による工法とがあり、本発明と関係を有するのは図５に示すモルタル充填用の鋼製型枠工法である。
この工法による注入口空気抜口の設置方法は、型枠の所定位置にモルタル充填のためのモルタル注入口と空気抜口をあけてビニールホースを差し込んでモルタル圧送ホースと接続できるようにして圧力で抜けないように処理する方法である。その注入口は、▲１▼基本として横方向は上部と下部の中央に縦方向も左右の中央１カ所ずつ設置して縦方向の注入口には充填確認用と注入一時停止位置を兼ねること、▲２▼注入距離が長い場合は中央と左右に向かって２ｍ間隔程度で左右対称にすること、▲３▼増設壁は逆打ち工法と同様に中央の下端に設ける距離の長い場合は前記▲２▼と同様なる方法で行なう。一方、空気口は基本として横方向上部の両端の天端と中間に２カ所程度設置する方法で行なう。
【０００３】
また、この従来のモルタル充填型枠工法の工程には、コンクリート周囲壁のはつり→樹脂カプセルアンカーの打設→鉄骨フレームの設置→割裂防止の取付→コンクリート面の清掃→充填用型枠の設置→型枠面との隙間シール→注入口と空気抜口の設置→材料機材の準備→混練り→圧送ポンプ起動→モルタル圧入→モルタルの養生→型枠の撤去などの工程がある。この工程のうち、モルタル圧入時の圧力により破損や変形しないよう特に堅固な構造が求められると共に、モルタルの圧入時における充填モルタルが漏れないようにすることが必要とされていた。
【０００４】
更に、従来のモルタル充填型工法には、図５及び図６に示すように従来の銅製型枠２８をコンクリート構造物Ｐの上に直接に接地してモルタルシールを施工していた工法に改良を加えたものがある。すなわち、コンクリート構造物Ｐに銅製型枠埋設穴を穴設して銅製型枠２８を埋設すると共にモルタルシールＭし、更にコンクリート構造物Ｐに支持ボルト埋設穴を穴設して支持ボルト２７を埋設すると共にモルタルシールＭする施工法である。
【０００５】
このような従来方式を改良したのが、本願出願人が開示（特願平１０−３７００５０号）されているのが鋼材用ネイルを用いたモルタル注入式耐震補強工法である。この工法工事手順は施工現場の足場掛→躯体（壁面）撤去→躯体アンカー穴の穿孔→樹脂カプセルの挿入→アンカー筋の打込→鉄骨フレームの設置→スパイラル筋の挿入→鋼製型枠の取付→無収縮モルタル注入→鉄板型枠の除去→外壁板の設置→サッシの設置→内壁の下地→壁面の仕上の順序で行われ、その一般的なモルタル充填型工法の工法手順は、コンクリート構造物に埋設穴を穴設→埋設穴に鋼製型枠を埋設→埋設部をモルタルシールする工程で行なわれている。
【０００６】
このように従来工程の具体的な工法においては、図７に示すようにフレームＨ鋼３２と鋼製型枠３１とを固着するのに鋼材用ネイルは用いており、また鋼製型枠３１をコンクリート構造物Ｐに埋設した後に発泡樹脂材で埋め込むところに特徴がある。
【０００７】
【発明が解決しようとする課題】
このような従来方式によるモルタル充填用鋼製型枠の固定方法に改良を加え、従来では見られない固定金具による型枠工法を提供するところに本発明が解決しようとする課題を有する。
特に、平成７年１月１７日の阪神地区の震災を教訓として、平成７年１２月２５日に「建築物の耐震改修の促進に関する法律（平成７年法律第１２３号）」が制定されると共に施行された。そして、全国の自治体では耐震診断や耐震補強に積極的に取り組むことになり、今後予測される大地震による建物の倒壊での人的・物的被害を少しでも減らすと共に耐震補強工事の重要性を認識して施工技術の開発を進めることになった。かかる観点から、本発明の工法が開発されたものである。
【０００８】
【課題を解決するための手段】
本発明は上記の如き課題を解決するために開発したものであって、フレームＨ鋼に付設されている鋼製型枠をコンクリート構造物に埋設すると共にスタットボルトをコンクリート構造物に埋設し、更に前記コンクリート構造物に埋設されるスタットボルトの各埋設穴にモルタルシールしてなるモルタル注入式の耐震補強工法であって、該補強工法に使用されるフレームＨ鋼と鋼製型枠とを固着する鋼板押え金具において、型枠補強板６が一方の鋼製型枠３に固定される固定側金具Ｗからなり、他方の型枠補強板６ａ、６ｂ、６ｃが他方の鋼製型枠３に上下摺動かつ締着自在となる締着側金具Ｙとから構成されることを特徴とするモルタル注入式鋼製型枠組立耐震補強工法における使用金具の提供にある。
【００１０】
【発明の実施の形態】
本発明の実施形態は、フレームＨ鋼に付設されている鋼製型枠をコンクリート構造物に埋設すると共にスタットボルトをコンクリート構造物に埋設し、更に前記コンクリート構造物に埋設されるスタットボルトの各埋設穴にモルタルシールしてなるモルタル注入式の耐震補強工法であって、該補強工法に使用されるフレームＨ鋼と鋼製型枠とを固着する鋼板押え金具において、型枠補強板６が一方の鋼製型枠３に固定される固定側金具Ｗからなり、他方の型枠補強板６ａ、６ｂ、６ｃが他方の鋼製型枠３に上下摺動かつ締着自在となる締着側金具Ｙとから構成されることを特徴とするモルタル注入式鋼製型枠組立耐震補強工法における使用金具であるから、従来の金具よりも耐震性に優れたモルタル注入式における鋼製型枠組立の耐震補強工法に使用される金具を提供することができる。
【００１２】
【実施例】
以下、図面に従って本発明からなるモルタル注入式鋼製型枠組立の耐震補強工法及びその使用金具について説明する。本発明は本願出願人が開示した特願平１０−３７００５０号の改良発明であるから、従来工法については前述されているのでここでは従来工法との相異点と、その特徴についてのみ説明する。
【００１３】
図１から図４は、本発明からなる鋼製型枠組立の耐震補強工法とその工法で使用される鋼板押え金具を示したものである。
図中１はフレームＨ鋼、２は頭付スタッドボルト、３は鋼製型枠、４は支持ボルト、５は鋼板押え金具、６は型枠補強板、７は把手部、８は係止板、９は作動板、１０は支軸、１１は保持板、１２はモルタル注入口、１３は空気板口、１４はＶ字枠材である。
【００１４】
まず、鋼板押え金具５は図１に示すようにフレームＨ鋼１に両側から押えるように取付けられている。この鋼板押え金具５は、型枠補強板６を介して鋼製型枠３を固定する固定側金具Ｗと型枠補強板６ａを介して鋼製型枠３を締め着ける締着側金具Ｙとから構成されており、締着側金具Ｙの型枠補強板６ａを操作して両方の鋼製型枠３、３とフレームＨ鋼１、１とを固着する工法である。なお、この鋼板押え金具５は図２と図３に示してあるよう締着側金具Ｙの型枠補強板６ａ、更に６ｂと６ｃの３段式になっている。
【００１５】
【発明の効果】
本発明、フレームＨ鋼に付設されている鋼製型枠をコンクリート構造物に埋設すると共にスタットボルトをコンクリート構造物に埋設し、更に前記コンクリート構造物に埋設されるスタットボルトの各埋設穴にモルタルシールしてなるモルタル注入式の耐震補強工法であって、該補強工法に使用されるフレームＨ鋼と鋼製型枠とを固着する鋼板押え金具において、型枠補強板６が一方の鋼製型枠３に固定される固定側金具Ｗからなり、他方の型枠補強板６ａ、６ｂ、６ｃが他方の鋼製型枠３に上下摺動かつ締着自在となる締着側金具Ｙとから構成されることを特徴とするモルタル注入式鋼製型枠組立耐震補強工法における使用金具であるから、従来の工法で得られない効果が得られる。なお、本発明工法においても従来工法で得られる次のような多くの効果も得られる。
ア、本発明の鉄板型枠を用いる取付工法にすれば、型枠を取り付けたままで次工程に入ることができ、しかも鉄型枠は取り付けたままで取り外す必要がないばかりか、特殊な型枠は必要とせず通常の鉄板を用いることができる。
イ、また本取付工法にすることによって、無収縮ブラウト材を充填するための囲い枠をつくるために注入する量や圧力などにも充分に耐えうることができる。
エ、更に容易に誰でも設置することができること、注入圧の内圧にも耐えうる充分な強度を持っていること、施工方法が簡易であるため工期が短縮することができること、外業種と同時作業ができること、一部の固定金具はリサイクルができること、鉄板型枠のすべてが取り外しが可能であること、など多くの具体的な効果を有する。
【図面の簡単な説明】
【図１】  本発明のモルタル注入式鋼製型枠組立の耐震補強工法を示した説明概要図。
【図２】  図１に示した本発明工法に使用される鋼板押え金具を示した拡大説明図。
【図３】  図２に示した鋼板押え金具の組み立て分解図。
【図４】  本発明工法の鋼製型枠にエボシキシールした状態の平面図と断面図。
【図５】  従来の鋼製型枠工法を示した説明概要図。
【図６】  従来の鋼製型枠工法を示した説明概要図。
【図７】  従来の鋼製型枠工法を示した説明概要図。
【符号の説明】
１、２５、３２  フレームＨ鋼      ２、２６  頭付スタッドボルト
３、２８、３１  鋼製型枠          ４、２７  支持ボルト
５  鋼板押え金具                  ６、６ａ、６ｂ、６ｃ  型枠補強板
７  把手部                        ８  係止部
９  作動板                        １０  支軸
１１  保持板                      １２、２２  モルタル注入口
１３、２３  空気抜口              １４、２１  Ｖ字枠材
２０  鉄骨フレーム                ２４  確認口
Ｗ  固定側金具                    Ｙ  締着側金具
Ｐ  コンクリート構造物            Ｓ  エボシキシール
Ｍ  モルタルシール
【図１】
0003765686.tif 000002
【図２】
0003765686.tif 000003
【図３】
0003765686.tif 000004
【図４】
0003765686.tif 000005
【図５】
0003765686.tif 000006
【図６】
0003765686.tif 000007
【図７】
0003765686.tif 000008